(57)【要約】【課題】利用者によるいたずらや不正の入退場等の不正行為を低減し、または抑制する改札装置を提供することである。【解決手段】実施形態の改札装置は、ロック機構を有する開閉部と、カード読取り部と、開錠実行部と、施錠実行部と、履歴情報生成部とを備える。カード読取り部は、無線カードに記録されたカード情報を読み取る。開錠実行部は、カード読取り部が読み取ったカード情報に応じて開閉部のロック機構を開錠する。施錠実行部は、開錠実行部がロック機構を開錠してから開閉部が開けられないまま、所定時間が経過した場合、または、所定時間内に開けられた開閉部が閉められた場合、ロック機構を施錠する。履歴情報生成部は、カード情報を含む履歴情報を生成する。【選択図】図２
2015036902.tif 000002
【特許請求の範囲】
【請求項１】
ロック機構を有する開閉部を備えた改札装置であって、
無線カードに記録されたカード情報を読み取るカード読取り部と、
前記カード読取り部が読み取った前記カード情報に応じて前記開閉部の前記ロック機構を開錠する開錠実行部と、
前記開錠実行部が前記ロック機構を開錠してから前記開閉部が開けられないまま、所定時間が経過した場合、または、前記所定時間内に開けられた前記開閉部が閉められた場合、前記ロック機構を施錠する施錠実行部と、
前記カード情報を含む履歴情報を生成する履歴情報生成部と、
を備える改札装置。
【請求項２】
前記開閉部は、当該改札装置に設けられた集札箱のカバーを含む、
請求項１記載の改札装置。
【請求項３】
前記開閉部は、当該改札装置に設けられた操作部のカバーを含む、
請求項１記載の改札装置。
【請求項４】
前記履歴情報生成部は、前記開錠実行部が前記開閉部の前記ロック機構を開錠したときの時刻を示す時刻情報をも含めて前記履歴情報を生成する、
請求項１から請求項３いずれか一項記載の改札装置。
【発明の詳細な説明】
【技術分野】
【０００１】
本発明の実施形態は、改札装置に関する。
【背景技術】
【０００２】
乗車券や定期券等の券媒体、および通行券情報を記録した無線カードを用いて改札処理を実行する自動改札機が知られている（例えば、特許文献１参照）。このような自動改札機は、券媒体の投入口から投入された券媒体を収容する集札箱と、券媒体を投入口から集札箱または排出口まで搬送する搬送機構と、通行扉（ドア）の開閉を制御したり通行券情報の表示を制御したりする制御回路部と、保守等に用いられる操作部とを備えている。これら、集札箱、搬送機構、制御回路部、および操作部は、筐体の内部に設けられており、通常運用時はカバーで覆われて施錠されている。また、自動改札装置には、制御回路部の動作をリセットさせるとともに通行扉を開放させるリセットボタンが筐体に備えられる場合もある。このリセットボタンは、主に駅所員により操作されるための操作ボタンである。
【先行技術文献】
【特許文献】
【０００３】
【特許文献１】特開２００４−２２７２９４号公報
【発明の概要】
【発明が解決しようとする課題】
【０００４】
しかしながら、集札箱、搬送機構、制御回路部、および操作部を覆うカバーや扉の施錠を駅所員が施錠し忘れると、利用者により、使用済の券媒体が取り去られたり、搬送機構および制御回路部がいたずらされたり、操作部が不正に操作されたりするおそれがある。また、悪意のある者が、リセットボタンを押して通行扉を開き、改札を行わずに不正に入場または退場するおそれがある。
【０００５】
本発明が解決しようとする課題は、利用者によるいたずらや不正の入退場等の不正行為を低減し、または抑制する改札装置を提供することである。
【課題を解決するための手段】
【０００６】
実施形態の改札装置は、ロック機構を有する開閉部と、カード読取り部と、開錠実行部と、施錠実行部と、履歴情報生成部とを備える。カード読取り部は、無線カードに記録されたカード情報を読み取る。開錠実行部は、前記カード読取り部が読み取った前記カード情報に応じて前記開閉部の前記ロック機構を開錠する。施錠実行部は、前記開錠実行部が前記ロック機構を開錠してから前記開閉部が開けられないまま、所定時間が経過した場合、または、前記所定時間内に開けられた前記開閉部が閉められた場合、前記ロック機構を施錠する。履歴情報生成部は、前記カード情報を含む履歴情報を生成する。
【図面の簡単な説明】
【０００７】
【図１】第１実施形態である改札装置の概略の外観図である。
【図２】第１実施形態において、無線カードとして認証カードが用いられる場合の、改札装置の概略の機能構成を示すブロック図である。
【図３】改札装置の履歴情報記憶部が記憶する履歴情報のデータ構成の例を示す図である。
【図４】第１実施形態である改札装置の処理手順を示すフローチャートである。
【図５】第２実施形態である改札装置の処理手順を示すフローチャートである。
【発明を実施するための形態】
【０００８】
以下、実施形態について、図面を参照して詳細に説明する。
［第１の実施の形態］
図１は、第１実施形態である改札装置の概略の外観図である。同図に示す改札装置１は、券媒体または無線カードのいずれか、もしくは両方を用いて改札処理を行う自動改札機である。券媒体は、所定の通行券情報（例えば、乗車可能区間を表す情報、有効期限を示す情報）が磁気記録された券である。券媒体は、例えば、普通乗車券、定期乗車券、特急乗車券、回数乗車券である。無線カードは、ＩＣチップとアンテナとを内蔵したＩＣカードである。交流磁界を発生させているカード読取り部（リーダ・ライタ）２０に、無線カードが非接触にまたは接触してかざされることにより、カード読取り部２０が発生させる交流磁界に応じて無線カードのアンテナに交流電圧が誘起され、この交流電圧を整流して得た直流電圧に応じてＩＣチップが動作する。電車等交通機関の乗客が携帯する無線カードのＩＣチップには、通行券情報がカード情報として記憶されている。また、駅所員（駅係員、駅員）が携帯する無線カードのＩＣチップには、所持者である当該駅所員を特定する駅員識別情報がカード情報として記憶されている。この駅員識別情報が記録された無線カードを、認証カードと呼ぶ。
【０００９】
図１に示すように、改札装置１は、券媒体の投入口１０１と、投入口１０１から投入された券媒体を外側に排出する排出口１０２とを備えている。改札装置１は、投入口１０１から投入された券媒体の磁気記録を読み取ることによって通行券情報を取り込み、この通行券情報に応じて回収すべき券媒体（使用済券媒体）を、図示しない集札箱に収容する。改札装置１には、その集札箱を取り出すための集札箱カバー１３が取り付けられている。
【００１０】
また、改札装置１は、取り込んだ通行券情報に応じて、乗客に返却すべき券媒体（返却券媒体）を排出口１０２に搬送する。排出口１０２に搬送された返却券媒体が一定時間放置された場合、つまり、乗客によって返却券媒体が持ち去られずに一定期間が経過した場合、改札装置１は、返却券媒体を図示しない別集札箱に収容する。改札装置１には、その別集札箱を取り出すための別集札箱カバー１４が取り付けられている。
【００１１】
また、改札装置１における通路側の側面の両端部には、それぞれ、乗客の通行を制御する開閉動作可能な通行扉１１（ドア）が設けられている。改札装置１に設けられた図示しない制御回路部は、通行券情報の判定結果に応じて通行扉１１の開閉を制御する。
【００１２】
また、改札装置１は、無線カードに記録された通行券情報を変更（修正）するための操作パネルを備える。この操作パネルは、乗客によって操作されることを防ぐため、開閉動作可能な操作部カバー１２によって覆われている。
【００１３】
図２は、無線カードとして認証カードが用いられる場合の、改札装置１の概略の機能構成を示すブロック図である。同図に示すように、改札装置１は、開閉部１０と、通行扉１１と、カード読取り部２０と、認証部３０と、開錠実行部４０と、施錠実行部５０と、履歴情報生成部６０と、履歴情報記憶部７０と、履歴情報送信部８０とを備える。
【００１４】
図２に示すように、開閉部１０は、操作部カバー１２と、集札箱カバー１３と、別集札箱カバー１４とを含む。開閉部１０の各部は、ロック機構を有する、集札箱カバー１３は、例えば、施錠および開錠可能な扉またはカバーである。なお、集札箱カバー１３と集札箱とが一体として構成され、改札装置１から引き出しまたは着脱可能なように構成されてもよい。また、別集札箱カバー１４は、例えば、施錠および開錠可能な扉またはカバーである。なお、別集札箱カバー１４と別集札箱とが一体として構成され、改札装置１から引き出しまたは着脱可能なように構成されてもよい。
【００１５】
カード読取り部２０は、内蔵するアンテナを制御して無線カードとの間で無線通信を行い、無線カードのＩＣチップに記録されたカード情報を読み取り、このカード情報を認証部３０に供給する。例えば、認証カードが非接触にまたは接触してカード読取り部２０にかざされ、カード読取り部２０と認証カードに内蔵されたＩＣチップとが通信することによって、カード読取り部２０は、認証カードのＩＣチップに記録された駅員識別情報を読み取り、この駅員識別情報を認証部３０に供給する。
【００１６】
認証部３０は、一つまたは複数の駅員識別情報を、利用が許可された駅員識別情報（登録駅員識別情報）として、内蔵する記憶部に予め記憶させている。認証部３０は、カード読取り部２０が供給するカード情報を取り込み、このカード情報が駅員識別情報であるか否かを判定し、カード情報が駅員識別情報である場合は、その駅員識別情報が予め登録された登録駅員識別情報であるか否かを判定する。具体的に、認証部３０は、カード読取り部２０からカード情報を取り込むと、このカード情報に、駅員識別情報特有のビットパターンを有するビット列があるか否かを調べる。認証部３０は、駅員識別情報特有のビットパターンを有するビット列を検出した場合、このビット列を含む情報が駅員識別情報であると判断する。次に、認証部３０は、その駅員識別情報が記憶部に記憶された登録駅員識別情報に含まれるか否かを判定する。認証部３０は、その駅員識別情報が登録駅員識別情報であると判定した場合、開錠実行部４０に開錠要求情報を供給し、また、その駅員識別情報を履歴情報生成部６０に供給する。
【００１７】
開錠実行部４０は、認証部３０が供給する開錠要求情報を取り込むと、開閉部１０のロック機構を開錠する。具体的に、開錠実行部４０は、認証部３０から開錠要求情報を取り込んだことに応じて、操作部カバー１２、集札箱カバー１３、および別集札箱カバー１４それぞれのロック機構を開錠する。そして、開錠実行部４０は、開閉部１０のロック機構を開錠したことを示す開錠通知情報を施錠実行部５０および履歴情報生成部６０に供給する。
【００１８】
施錠実行部５０は、開錠実行部４０が開閉部１０のロック機構を開錠してから開閉部１０が開けられないまま所定時間（例えば、１０秒間）が経過した場合、または、この所定時間内に開けられた開閉部１０が閉められた場合、開閉部１０のロック機構を施錠する。具体的に、施錠実行部５０は、開錠実行部４０が供給する開錠通知情報を取り込んだときから、操作部カバー１２、集札箱１３、および別集札箱カバー１４のいずれもが開けられないまま所定時間が経過したとき、操作部カバー１２、集札箱１３、および別集札箱カバー１４それぞれのロック機構を施錠する。また、施錠実行部５０は、開錠実行部４０が供給する開錠通知情報を取り込んだときから所定時間内に開けられた、操作部カバー１２、集札箱１３、または別集札箱カバー１４が閉められたとき、操作部カバー１２、集札箱１３、および別集札箱カバー１４それぞれのロック機構を施錠する。
【００１９】
履歴情報生成部６０は、認証部３０が供給する駅員識別情報を取り込み、また、開錠実行部４０が供給する開錠通知情報を取り込む。履歴情報生成部６０は、開錠通知情報を取り込むと、内蔵する時計を計時して現時点の時刻を示す時刻情報を取得し、この時刻情報と駅員識別情報とを関係付けた履歴情報を生成し、この履歴情報を履歴情報記憶部７０に記憶させる。
履歴情報記憶部７０は、履歴情報を記憶する。履歴情報記憶部７０は、例えば、半導体記憶装置により実現される。
履歴情報送信部８０は、外部装置（例えば、改札装置を監視する監視装置）から送信される要求情報に応じて、履歴情報記憶部７０から履歴情報を読み出し、この履歴情報を当該外部装置に送信する。
【００２０】
次に、第１実施形態である改札装置が用いる履歴情報のデータ構成について説明する。
図３は、改札装置１の履歴情報記憶部７０が記憶する履歴情報のデータ構成の例を示す図である。同図において、履歴情報は、カード番号と時刻情報とを関係付けたデータテーブルである。履歴情報に格納されるカード番号は、認証された駅員識別情報である。また、履歴情報に格納される時刻情報は、開錠通知情報を取得した履歴情報生成部６０が計時した時刻を示す情報である。具体的に、同図の履歴情報には、カード情報である駅員識別情報“XXXXX XXXX XXXX XXXX”と、時刻情報“2013/08/05 14:32.36”（２０１３年８月５日１４時３２分３６秒）とが関係付けられて格納されている。また、その履歴情報には、駅員識別情報“YYYYY YYYY YYYY YYYY”と、時刻情報“2013/08/08  7:16.15”（２０１３年８月８日７時１６分１５秒）とが関係付けられて格納されている。
【００２１】
次に、第１実施形態である改札装置１の動作について説明する。
図４は、改札装置１の処理手順を示すフローチャートである。
ステップＳ１において、交流磁界を発生させたカード読取り部２０は、無線カードが非接触にまたは接触してかざされることによってその無線カードに内蔵されたＩＣチップと通信を行い、そのＩＣチップからカード情報を読み取り、ステップＳ２の処理に移す（ステップＳ１：ＹＥＳ）。
【００２２】
ステップＳ２において、認証部３０は、カード読取り部２０が供給するカード情報を取り込み、このカード情報が予め登録された登録駅員識別情報であるか否かを判定する。そして、認証部３０は、取り込んだカード情報が登録された登録駅員識別情報でないと判定した場合（ステップＳ２：ＮＯ）にステップＳ３の処理に移し、一方、カード情報が登録駅員識別情報であると判定した場合（ステップＳ２：ＹＥＳ）にステップＳ４の処理に移す。
【００２３】
無線カードが認証カードでない場合、ステップＳ３において、改札装置１は、カード読取り部２０によって取り込まれたカード情報に基づいて改札処理を実行し、この改札処理の実行後、ステップＳ１の処理に戻す。この改札処理は、従来の自動改札機による改札処理と同様であるので、ここでの説明を省略する。
【００２４】
無線カードが認証カードである場合、ステップＳ４において、認証部３０は、カード情報である駅員識別情報が認証部３０の記憶部に記憶された登録駅員識別情報に含まれるか否かを判定する。そして、認証部３０は、その駅員識別情報が登録駅員識別情報であると判定した場合（ステップＳ４：ＹＥＳ）、開錠実行部４０に開錠の指示を示す開錠要求情報を供給し、また、その駅員識別情報を履歴情報生成部６０に供給して、ステップＳ５の処理に移す。一方、認証部３０は、カード情報である駅員識別情報が登録駅員識別情報でないと判定した場合（ステップＳ４：ＮＯ）、ステップＳ１の処理に戻す。
【００２５】
ステップＳ５において、開錠実行部４０は、認証部３０が供給する開錠要求情報を取り込んだことに応じて、開閉部１０のロック機構を開錠する。次に、開錠実行部４０は、開閉部１０のロック機構を開錠したことを示す開錠通知情報を施錠実行部５０および履歴情報生成部６０に供給する。
【００２６】
次に、ステップＳ６において、施錠実行部５０は、開錠実行部４０が供給する開錠通知情報を取り込んだときから、操作部カバー１２、集札箱１３、および別集札箱カバー１４のいずれもが開けられないまま所定時間が経過したか否かを判定する。そして、施錠実行部５０は、その所定時間が経過したと判定した場合（ステップＳ６：ＮＯ）、ステップＳ１０の処理に移す。一方、施錠実行部５０は、開錠通知情報を取り込んだときから、その所定時間内に、操作部カバー１２、集札箱１３、および別集札箱カバー１４のいずれかが開けられた場合（ステップＳ７：ＹＥＳ）、ステップＳ８の処理に移す。
【００２７】
ステップＳ８において、開けられた扉に対応する箇所について、駅所員による作業が行われる。
次に、ステップＳ９において、施錠実行部５０は、開けられた扉が閉められたか否かを判定する。そして、施錠実行部５０は、扉が閉められたことを検出した場合（ステップＳ９：ＹＥＳ）、ステップＳ１０の処理に移す。ここで、施錠実行部５０は、所定時間継続して扉が閉められないことを検出した場合、ブザーを鳴らしたり、警告灯を点灯させたり、警告情報を監視装置に送信したりすることによって、アラームを報知してもよい。
【００２８】
ステップＳ１０において、施錠実行部５０は、開閉部１０のロック機構を施錠する。
【００２９】
次に、ステップＳ１１において、履歴情報生成部６０は、認証部３０が供給する駅員識別情報を取り込み、開錠実行部４０が供給する開錠通知情報を取り込む。履歴情報生成部６０は、開錠通知情報を取り込むと、内蔵する時計を計時して現時点の時刻を示す時刻情報を取得し、この時刻情報と駅員識別情報とを関係付けた履歴情報を生成する。次に、履歴情報生成部６０は、その履歴情報を履歴情報記憶部７０に記憶させる。ここで、改札装置１は、履歴情報を監視装置に送信してもよい。次に、改札装置１は、ステップＳ１の処理に戻す。
【００３０】
第１実施形態では、改札装置１は、駅所員が携帯する認証カードに記録されたカード情報（駅員識別情報）を読み込み、この駅員識別情報が登録駅員識別情報である場合に、開閉部１０のロック機構を開錠してその駅員識別情報を含む履歴情報を生成し、この履歴情報を記録する。この構成により、開閉部１０のロック機構を開錠した者をのちに特定することができ、開閉部１０のロック機構を開錠した者による不正行為を抑止することができる。
【００３１】
また、第１実施形態である改札装置１は、開閉部１０のロック機構を開錠してから開閉部１０が開けられないまま所定時間が経過した場合、または、その所定時間内に開けられた開閉部１０が閉められた場合、開閉部１０のロック機構を施錠する。この構成により、開閉部１０のロック機構の施錠忘れを防止することができる。
【００３２】
［第２の実施の形態］
上述した第１実施形態では、利用が許可された認証カードが用いられることにより、改札装置１が開閉部１０のロック機構を開錠する例とした。第２実施形態は、利用が許可された認証カードが用いられることにより、改札装置が開閉部のロック機構を開錠するとともに、リセット動作（初期化動作）を行って通行扉１１を開放する例である。第２実施形態では、第１実施形態との相違点についてのみ説明する。
【００３３】
第２実施形態において、改札装置１の開錠実行部４０は、認証部３０が供給する開錠要求情報を取り込むと、開閉部１０のロック機構を開錠し、また改札装置１の図示しない制御部の状態をリセットする。具体的に、開錠実行部４０は、認証部３０から開錠要求情報を取り込んだことに応じて、操作部カバー１２、集札箱カバー１３、および別集札箱カバー１４それぞれのロック機構を開錠し、制御部をリセットして通行扉１１を開状態（ドアオープン）にする。そして、開錠実行部４０は、開閉部１０のロック機構を開錠したことを示す開錠通知情報を施錠実行部５０および履歴情報生成部６０に供給する。
【００３４】
施錠実行部５０は、開錠実行部４０が開閉部１０のロック機構を開錠してから操作部カバー１２、集札箱１３、および別集札箱カバー１４のいずれもが開けられないまま所定時間（例えば、１０秒間）が経過した場合、または、この所定時間内に開けられた操作部カバー１２、集札箱１３、または別集札箱カバー１４が閉められた場合、通行扉１１を初期状態（改札モードまたは集札モードいずれかであれば進行方向に対してドアクローズ、両用モードであればドアオープンの状態）にし、開閉部１０のロック機構を施錠する。具体的に、施錠実行部５０は、開錠実行部４０が供給する開錠通知情報を取り込んだときから、操作部カバー１２、集札箱１３、および別集札箱カバー１４のいずれもが開けられないまま所定時間が経過したとき、通行扉１１を初期状態にして、操作部カバー１２、集札箱１３、および別集札箱カバー１４それぞれのロック機構を施錠する。また、施錠実行部５０は、開錠実行部４０が供給する開錠通知情報を取り込んだときから所定時間内に開けられた、操作部カバー１２、集札箱１３、または別集札箱カバー１４が閉められたとき、通行扉１１を初期状態にして、操作部カバー１２、集札箱１３、および別集札箱カバー１４それぞれのロック機構を施錠する。
【００３５】
次に、第２実施形態である改札装置１の動作について説明する。
図５は、第２実施形態である改札装置１の処理手順を示すフローチャートである。
ステップＳ２１からステップＳ２４までは、第１実施形態におけるステップＳ１からステップＳ４までの処理と同様であるため、これらのステップの説明を省略する。
【００３６】
ステップＳ２５において、開錠実行部４０は、認証部３０が供給する開錠要求情報を取り込んだことに応じて、操作部カバー１２、集札箱カバー１３、および別集札箱カバー１４それぞれのロック機構を開錠し、制御部をリセットして通行扉１１を開状態にする。次に、開錠実行部４０は、開閉部１０のロック機構を開錠したことを示す開錠通知情報を施錠実行部５０および履歴情報生成部６０に供給する。
【００３７】
次に、ステップＳ２６において、施錠実行部５０は、開錠実行部４０が供給する開錠通知情報を取り込んだときから、操作部カバー１２、集札箱１３、および別集札箱カバー１４のいずれもが開けられないまま所定時間が経過したか否かを判定する。そして、施錠実行部５０は、その所定時間が経過したと判定した場合（ステップＳ２６：ＮＯ）、ステップＳ３０の処理に移す。一方、施錠実行部５０は、開錠通知情報を取り込んだときから、その所定時間内に、操作部カバー１２、集札箱１３、および別集札箱カバー１４のいずれかが開けられた場合（ステップＳ２７：ＹＥＳ）、ステップＳ２８の処理に移す。
【００３８】
ステップＳ２８において、開けられた扉に対応する箇所について、駅所員による作業が行われる。
次に、ステップＳ２９において、施錠実行部５０は、開けられた扉が閉められたか否かを判定する。そして、施錠実行部５０は、扉が閉められたことを検出した場合（ステップＳ２９：ＹＥＳ）、ステップＳ３０の処理に移す。ここで、施錠実行部５０は、所定時間継続して扉が閉められないことを検出した場合、ブザーを鳴らしたり、警告灯を点灯させたり、警告情報を監視装置に送信したりすることによって、アラームを報知してもよい。
【００３９】
ステップＳ３０において、施錠実行部５０は、リセットを解除して通行扉１１を初期状態にし、開閉部１０のロック機構を施錠する。
【００４０】
次に、ステップＳ３１において、履歴情報生成部６０は、認証部３０が供給する駅員識別情報を取り込み、開錠実行部４０が供給する開錠通知情報を取り込む。履歴情報生成部６０は、開錠通知情報を取り込むと、内蔵する時計を計時して現時点の時刻を示す時刻情報を取得し、この時刻情報と駅員識別情報とを関係付けた履歴情報を生成する。次に、履歴情報生成部６０は、その履歴情報を履歴情報記憶部７０に記憶させる。ここで、改札装置１は、履歴情報を監視装置に送信してもよい。次に、改札装置１は、ステップＳ２１の処理に戻す。
【００４１】
第２実施形態では、改札装置１は、駅所員が携帯する認証カードに記録されたカード情報（駅員識別情報）を読み込み、この駅員識別情報が登録駅員識別情報である場合に、開閉部１０のロック機構を開錠するとともに通行扉１１を開放する。そして、改札装置１は、読み込んだカード情報を含む履歴情報を生成し、この履歴情報を記録する。この構成により、開閉部１０のロック機構を開錠した者をのちに特定することができ、開閉部１０のロック機構を開錠した者による不正行為を抑止することができる。また、その構成により、通行扉１１を開けた者をのちに特定することができ、不正入場および不正退場を防止することができる。また、ハードウェアリセットボタンを押すことによって通行扉１１を開ける必要がなく、乗客による不正操作による入場および退場を防止することができる。
【００４２】
また、第２実施形態である改札装置１は、開閉部１０のロック機構を開錠してから操作部カバー１２、集札箱１３、および別集札箱カバー１４のいずれもが開けられないまま所定時間が経過した場合、または、その所定時間内に開けられた操作部カバー１２、集札箱１３、または別集札箱カバー１４が閉められた場合、通行扉１１を初期状態にして、開閉部１０のロック機構を施錠する。この構成により、通行扉１１の開け放し、および開閉部１０のロック機構の施錠忘れを防止することができる。
【００４３】
上述した第１実施形態および第２実施形態の他、利用が許可された認証カードが用いられることにより、改札装置１がリセット動作を行って通行扉１１のみを開ける動作を行うものとしてもよい。
【００４４】
この場合、改札装置１の認証部３０は、認証カードから取得した駅員識別情報が登録駅員識別情報であると判定した場合、開錠実行部４０にリセット要求情報を供給する。
また、開錠実行部４０は、認証部３０が供給するリセット要求情報を取り込むと、改札装置１の制御部をリセットする。具体的に、開錠実行部４０は、認証部３０からリセット要求情報を取り込んだことに応じて、制御部をリセットして通行扉１１を開状態にする。そして、開錠実行部４０は、リセット通知情報を施錠実行部５０および履歴情報生成部６０に供給する。
また、施錠実行部５０は、開錠実行部４０が制御部をリセットしてから所定時間（例えば、５秒間）が経過した場合、または、この所定時間内に移動体（例えば、人間）の通過が検知された場合、通行扉１１を閉じる。具体的に、施錠実行部５０は、開錠実行部４０が供給するリセット通知情報を取り込んだときから、移動体が通過することなく所定時間が経過した場合、通行扉１１を閉じる。また、施錠実行部５０は、開錠実行部４０が供給するリセット通知情報を取り込んだときから所定時間内に、人感センサによって移動体の通過が検知された場合、通行扉１１を初期状態にする。
【００４５】
以上、詳述した少なくとも一つの実施形態の改札装置によれば、カード情報である駅員識別情報に応じて開閉部のロック機構を開錠する開錠実行部、開錠してから開閉部が開けられないまま所定時間が経過した場合や、その所定時間内に開けられた開閉部が閉められた場合に、ロック機構を施錠する施錠実行部、および、駅員識別情報を含む履歴情報を生成する履歴情報生成部を備えたことにより、利用者によるいたずらや不正の入退場等の不正行為を低減し、または抑制することができる。
【００４６】
以上、いくつかの実施形態を説明したが、これらの実施形態は、例として提示したものであり、発明の範囲を限定することを意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４７】
１…改札装置、１０…開閉部、１１…通行扉、１２…操作部カバー、１３…集札箱カバー、１４…別集札箱カバー、２０…カード読取り部、３０…認証部、４０…開錠実行部、５０…施錠実行部、６０…履歴情報生成部、７０…履歴情報記憶部、８０…履歴情報送信部
【図１】
2015036902.tif 000003
【図２】
2015036902.tif 000004
【図３】
2015036902.tif 000005
【図４】
2015036902.tif 000006
【図５】
2015036902.tif 000007